(57)【要約】【課題】原稿の両面を読み取り可能な画像読取装置において、ガラスか白基準板のどちらに異物が付着しているのか特定すること。【解決手段】画像読取装置１では、ＣＩＳ３０とＣＩＳ４０が搬送経路２２を介して対向して配置されており、例えばＣＩＳ４０が白基準板３３を用いて取得した白基準データに異常が検出された場合、ＣＩＳ４０の光源４１を照射させてＣＩＳ３０とＣＩＳ４０の両方で原稿を読み取る。そてし、ＣＩＳ３０が取得した透過読取データと、ＣＩＳ４０が取得した反射読取データを比較し、いずれか一方の読取データにのみ存在する画像情報が含まれている場合、ＣＩＳ４０のプラテンガラス４４にゴミＤ２が付着していると判断し、いずれか一方の読取データにのみ存在する画像情報が含まれていない場合、ＣＩＳ３０の白基準板３３にゴミＤ１が付着していると判断する。【選択図】図３
2012204972.tif 000002
【特許請求の範囲】
【請求項１】
原稿を搬送経路を通って搬送する搬送部と、
前記搬送経路に沿って一方の側に設置され、第１透光部材と、第１基準板と、前記原稿の一方の面に対して前記第１透光部材を通して光を照射する第１光源と、前記原稿の一方の面で反射した光を前記第１透光部材を通して受光する第１受光素子と、を有する第１読取部と、
前記第１読取部と前記搬送経路を介して対向して配置され、前記搬送経路に沿って他方の側に設置され、第２透光部材と、第２基準板と、前記原稿の他方の面に対して前記第２透光部材を通して光を照射する第２光源と、前記原稿の他方の面で反射した光を前記第２透光部材を通して受光する第２受光素子と、を有する第２読取部と、
前記第１光源と前記第２光源のいずれか一方の光源を用いて、該光源が設置された側と異なる側に設置された基準板に対して光を照射し、該光源が設置された側と等しい側に設置された受光素子が受光した受光量から受光データを生成する受光データ生成部と、
前記受光データに異常が有るか否かを検出する異常検出部と、
前記異常検出部が異常を検出した場合、前記搬送部を用いて前記原稿を前記搬送経路を通って搬送し、少なくとも該光源を用いて該原稿に対して光を照射し、該光源を有する読取部は、該光源によって照射された面で反射された光を受光して該原稿を読み取るように、該光源を有しない読取部は、該光源によって前記原稿を透過した光を受光して該原稿を読み取るように制御する読取制御部と、
前記第１読取部が読み取った第１読取結果と前記第２読取部が読み取った第２読取結果に、いずれか一方の読取結果にのみ存在する画像情報が含まれている場合、該光源が設置された側と等しい側に設置された透光部材に異物が存在すると判断し、いずれか一方の読取結果にのみ存在する画像情報が含まれていない場合、該光源が設置された側と異なる側に設置された基準板に異物が存在すると判断する異物判断部と、
を備えることを特徴とする画像読取装置。
【請求項２】
請求項１に記載の画像読取装置であって、
前記異常検出部が異常を検出した場合、該異常検出部が検出した検出結果を通知する第１通知部と、
前記第１通知部の通知に基づいて、前記透光部材と前記基準板のいずれに異物が存在するかを特定するか否かの選択結果を受け付ける入力部と、
を備え、
前記読取制御部は、前記入力部を介して前記特定する選択結果を受け付けた場合に、制御を行う、
ことを特徴とする画像読取装置。
【請求項３】
請求項１又は請求項２に記載の画像読取装置であって、
前記異物判断部が判断した判断結果を通知する第２通知部、
を備えることを特徴とする画像読取装置。
【請求項４】
請求項１ないし請求項３のいずれか一項に記載の画像読取装置であって、
搬送する原稿を載置する載置部、
を備え、
前記読取制御部は、前記載置部に載置されている原稿を搬送すること、
を特徴とする画像読取装置。
【請求項５】
請求項４に記載の画像読取装置であって、
前記異常検出部が異常を検出した場合、前記載置部に載置された原稿に換えて白紙の原稿を載置するように通知する第３通知部、
を備えることを特徴とする画像読取装置。
【請求項６】
請求項１ないし請求項５のいずれか一項に記載の画像読取装置であって、
前記異物判断部は、一方の読取結果に画像情報が含まれている位置に対応する位置の他方の読取結果に画像情報が含まれていない場合、あるいは一方の読取結果に画像情報が含まれていない位置に対応する位置の他方の読取結果に画像情報が含まれている場合、いずれか一方の読取結果にのみ存在する画像情報が含まれていると判断し、それ以外の場合、いずれか一方の読取結果にのみ存在する画像情報が含まれていないと判断すること、
を特徴とする画像読取装置。
【発明の詳細な説明】
【技術分野】
【０００１】
本発明は、原稿の両面を読み取り可能な画像読取装置に用いられる技術に関する。
【背景技術】
【０００２】
従来から、原稿の搬送経路に移動不能に載置された読取デバイスを備えた画像読取装置が知られている。これらの装置では、読取デバイスを移動させて読み取りを行うことができないため、シェーディング補正等に用いられる白基準板などの基準部材が、搬送経路の読取デバイスに対向した位置に配置される。これらの装置では、原稿の搬送によって、紙粉等の異物が読取デバイスの搬送経路に面する部分に載置されるガラスや基準部材の表面に付着することがあり、この場合、読取デバイスの光量調整に支障が生じてしまう。従来から、ガラスと基準部材のいずれか一方に異物が付着したことを検出する技術が知られている（例えば特許文献１）。この技術によれば、ガラスと基準部材のいずれか一方に異物が付着した場合に、それを検出することができ、読取デバイスの光量調整に支障が生じることが回避されるという。
【先行技術文献】
【特許文献】
【０００３】
【特許文献１】特開２００７−１５０４３１号公報
【発明の概要】
【発明が解決しようとする課題】
【０００４】
しかし、紙粉などの異物は、一般に非常に小さいものである。そのため、ガラスと基準部材のいずれか一方に異物が付着したことを検出した場合でも、ユーザが目視によりガラスか基準部材のどちらに異物が付着しているのか特定することは困難であり、ユーザはガラスか基準部材のいずれを掃除すればよいのか解らないという問題があった。特に、読取デバイスが互いに対向して固定されており、原稿の両面を読み取る画像読取装置では、原稿の片面を読み取る画像読取装置に比べて、ガラスや基準部材に異物が付着しやすく、当該問題が顕著化する虞がある。そのため、ガラスか基準部材のどちらに異物が付着しているのかを特定する技術が望まれている。
【０００５】
本明細書では、原稿の両面を読み取り可能な画像読取装置において、ガラスか白基準板のどちらに異物が付着しているのか特定する技術を開示する。
【課題を解決するための手段】
【０００６】
本明細書によって開示される画像読取装置は、原稿を搬送経路を通って搬送する搬送部と、前記搬送経路に沿って一方の側に設置され、第１透光部材と、第１基準板と、前記原稿の一方の面に対して前記第１透光部材を通して光を照射する第１光源と、前記原稿の一方の面で反射した光を前記第１透光部材を通して受光する第１受光素子と、を有する第１読取部と、前記第１読取部と前記搬送経路を介して対向して配置され、前記搬送経路に沿って他方の側に設置され、第２透光部材と、第２基準板と、前記原稿の他方の面に対して前記第２透光部材を通して光を照射する第２光源と、前記原稿の他方の面で反射した光を前記第２透光部材を通して受光する第２受光素子と、を有する第２読取部と、前記第１光源と前記第２光源のいずれか一方の光源を用いて、該光源が設置された側と異なる側に設置された基準板に対して光を照射し、該光源が設置された側と等しい側に設置された受光素子が受光した受光量から受光データを生成する受光データ生成部と、前記受光データに異常が有るか否かを検出する異常検出部と、前記異常検出部が異常を検出した場合、前記搬送部を用いて前記原稿を前記搬送経路を通って搬送し、少なくとも該光源を用いて該原稿に対して光を照射し、該光源を有する読取部は、該光源によって照射された面で反射された光を受光して該原稿を読み取るように、該光源を有しない読取部は、該光源によって前記原稿を透過した光を受光して該原稿を読み取るように制御する読取制御部と、前記第１読取部が読み取った第１読取結果と前記第２読取部が読み取った第２読取結果に、いずれか一方の読取結果にのみ存在する画像情報が含まれている場合、該光源が設置された側と等しい側に設置された透光部材に異物が存在すると判断し、いずれか一方の読取結果にのみ存在する画像情報が含まれていない場合、該光源が設置された側と異なる側に設置された基準板に異物が存在すると判断する異物判断部と、を備える。
【０００７】
また、上記の画像読取装置では、前記異常検出部が異常を検出した場合、該異常検出部が検出した検出結果を通知する第１通知部と、前記第１通知部の通知に基づいて、前記透光部材と前記基準板のいずれに異物が存在するかを特定するか否かの選択結果を受け付ける入力部と、を備え、前記読取制御部は、前記入力部を介して前記特定する選択結果を受け付けた場合に、制御を行う構成としても良い。
【０００８】
また、上記の画像読取装置では、前記異物判断部が判断した判断結果を通知する第２通知部を備える構成としても良い。
【０００９】
また、上記の画像読取装置では、搬送する原稿を載置する載置部を備え、前記読取制御部は、前記載置部に載置されている原稿を搬送する構成としても良い。
【００１０】
また、上記の画像読取装置では、前記異常検出部が異常を検出した場合、前記載置部に載置された原稿に換えて白紙の原稿を載置するように通知する第３通知部を備える構成としても良い。
【００１１】
また、上記の画像読取装置では、前記異物判断部は、一方の読取結果に画像情報が含まれている位置に対応する位置の他方の読取結果に画像情報が含まれていない場合、あるいは一方の読取結果に画像情報が含まれていない位置に対応する位置の他方の読取結果に画像情報が含まれている場合、いずれか一方の読取結果にのみ存在する画像情報が含まれていると判断し、それ以外の場合、いずれか一方の読取結果にのみ存在する画像情報が含まれていないと判断する構成としても良い。
【発明の効果】
【００１２】
本明細書によって開示される画像読取装置では、第１読取部と第２読取部が搬送経路を介して対向して配置されていることを利用して、いずれに異物が存在するかを特定する。例えば、第１光源から第２基準板に光を照射した場合の第１受光素子が受光した受光量から生成した受光データに異常が検出された場合、第１透光部材と第２基準板のいずれか一方に異物が存在することが解る。この画像読取装置では、上記の場合に、第１光源を照射させた場合に第１読取部及び第２読取部で原稿を読み取る。第１光源と原稿と第２透光部材には異物が存在しないため、第２読取結果に異物の影響がない。その一方、第１透光部材に異物が存在する場合には、第１読取部が読み取った第１読取結果には異物による画像情報が発生し、第２基準板に異物が存在する場合には、第１読取結果に異物の影響がない。また、第１読取結果に異物の影響があるか否かは、第１読取結果と第２読取結果を比較することで判断される。この画像読取装置によれば、透光部材と基準板のいずれか一方に異物が存在するのかを特定することができる。
【図面の簡単な説明】
【００１３】
【図１】画像読取装置１の斜視図
【図２】画像読取装置１の概略的な断面図
【図３】読取部２４の構造を説明するための図
【図４】画像読取装置１の電気的構成を概略的に示すブロック図
【図５】読取処理を示すフローチャート
【図６】実施形態１のシェーディング補正データ作成処理を示すフローチャート
【図７】ゴミＤ１が付着している場合の原稿Ｇと読取データを示す図
【図８】ゴミＤ２が付着している場合の原稿Ｇと読取データを示す図
【図９】実施形態２のシェーディング補正データ作成処理を示すフローチャート
【発明を実施するための形態】
【００１４】
＜実施形態１＞
実施形態１を、図１ないし図８を用いて説明する。
【００１５】
１．画像読取装置の機械的構成
図１は、本実施形態の画像読取装置１の外観を示す斜視図である。画像読取装置１は、給紙トレイ（載置部の一例）２と、本体部３と、排紙トレイ４と、を含む。本実施形態の画像読取装置１は、ユーザにより給紙トレイ２に載置された複数の原稿Ｇを排紙トレイ４に搬送するとともに、搬送中の原稿Ｇを本体部３に含まれる読取部２４（図２参照）を用いて読み取るシートフィードスキャナである。
【００１６】
給紙トレイ２は、図１に矢印８で示す給紙トレイ２の幅方向の両端部にガイド７Ａ、７Ｂを有する。ガイド７Ａ、７Ｂは、給紙トレイ２の幅方向に移動可能である。画像読取装置１では、ユーザによりガイド７Ａ、７Ｂが押し広げられ、又は押し狭められることにより、ガイド７Ａ、７Ｂの間の距離が原稿Ｇの幅と等しく調整され、給紙トレイ２のガイド７Ａ、７Ｂの間に原稿Ｇが載置される。
【００１７】
図２に示すように、本体部３には、給紙トレイ２と排紙トレイ４を接続する搬送経路２２が設けられており、この搬送経路２２の周辺に、ピックアップローラ２０と、分離パッド２１と、フィードローラ２３と、読取部２４と、排出ローラ２５と、を備える。
【００１８】
ピックアップローラ２０は、摩擦力により、給紙トレイ２に載置された複数枚の原稿Ｇを本体部３の内部へと引き込む。分離パッド２１は、摩擦力により、複数枚の原稿Ｇを各原稿Ｇに分離する。給紙トレイ２に載置された複数枚の原稿Ｇは、これらによって、各原稿Ｇに分離されて本体部３の内部へと引き込まれる。
【００１９】
フィードローラ２３は、図示しないモータにより駆動され、本体部３の内部へと引き込まれた原稿Ｇを搬送経路２２上に搬送する。読取部２４は、フィードローラ２３によって搬送経路２２内を搬送される原稿Ｇを読み取る。
【００２０】
排出ローラ２５は、搬送経路２２上に搬送された原稿Ｇを排紙トレイ４に送り出す。排出ローラ２５により排紙トレイ４に供給された原稿Ｇは、排紙トレイ４に積層される。つまり、ピックアップローラ２０とフィードローラ２３と排出ローラ２５とによって、給紙トレイ２に載置された原稿Ｇを搬送経路２２上に搬送する搬送部２６が形成されている。
【００２１】
図３に示すように、読取部２４は、搬送経路２２を介して対向して配置される一対のＣＩＳ３０、４０を含んで構成される。図３に示すように、ＣＩＳ（第１読取部の一例）３０は、搬送経路２２に沿って上側（一方の側の一例）に配置されており、プラテンガラス（第１透光部材の一例）３４下を通過する原稿Ｇの裏面を読み取る。また、ＣＩＳ（第２読取部の一例）４０は、搬送経路２２に沿って下側（他方の側の一例）に配置されており、プラテンガラス（第２透光部材の一例）４４上を通過する原稿Ｇの表面を読み取る。ＣＩＳ３０、４０は、搬送経路２２を挟んでお互いに相対移動不能に支持されている。
【００２２】
ＣＩＳ４０は、上記プラテンガラス４４の他、発光ダイオードなどで構成される光源（第２光源の一例）４１、複数の受光素子が図３の紙面垂直方向に直線状に配列されている受光部（第２受光素子の一例）４２、及びこれらが搭載されるキャリッジ４５等を含む。ＣＩＳ４０は、図３に一点鎖線４６で示すように、搬送経路２２上に原稿Ｇが搬送されている場合、光源４１から照射され原稿Ｇの表面で反射された光を受光し、その受光量から原稿Ｇの反射読取データ（受光データの一例）を取得する。なお、ＣＩＳ３０の構造はＣＩＳ４０の構造と基本的に同じものであり、重複した説明を省略する。
【００２３】
ＣＩＳ３０のプラテンガラス３４には、ＣＩＳ４０の受光部４２に対向する位置に白基準板（第１基準部材の一例）３３が配置されている。白基準板３３は、プラテンガラス３４の搬送経路２２に面する下面に、その表面がプラテンガラス３４の下面と同一の高さとなるように配置されている。ＣＩＳ４０は、図３に一点鎖線４７で示すように、搬送経路２２上に原稿Ｇが搬送されていない場合、光源４１から照射され、白基準板３３の表面で反射された光を受光し、その受光量からシェーディング補正等に必要な白基準データ（受光データの別例）を取得する。また、光源３１、４１を照射しない状態の光を受光し、その受光量からシェーディング補正等に必要な黒基準データを取得する。
【００２４】
白基準板３３は、プラテンガラス３４において、ＣＩＳ３０の受光部３２とＣＩＳ４０の光源４１を結ぶ直線上の領域Ｒと異なる領域に配置されている。そのため、ＣＩＳ３０は、図３に二点鎖線４８で示すように、搬送経路２２上に原稿Ｇが搬送されている場合、ＣＩＳ４０の光源４１から照射され原稿Ｇを透過した光を受光し、その受光量から原稿Ｇの透過読取データ（受光データの別例）を取得する。
【００２５】
また、ＣＩＳ４０のプラテンガラス４４には、ＣＩＳ３０の受光部３２に対向する位置に白基準板（第２基準部材の一例）４３が配置されている。白基準板４３は、プラテンガラス４４の搬送経路２２に面する上面に、その表面がプラテンガラス４４の上面と同一の高さとなるように配置されている。なお、ＣＩＳ４０の白基準板４３の配置及び役割は、ＣＩＳ３０のプラテンガラス３４と基本的に同じものであり、重複した説明を省略する。
【００２６】
また、図１に示すように、本体部３には、この他に、電源スイッチや各種設定ボタンからなり、ユーザからの操作指令等を受け付ける操作部（入力部の一例）５や、液晶ディスプレイからなり、画像読取装置１の状況や読取部２４が原稿Ｇを読み取った画像を表示する表示部（通知部の一例）６、及び画像読取装置１の状況を音でユーザに通知するスピーカ（通知部の別例）９を含む。
【００２７】
２．画像読取装置の電気的構成
図４は、画像読取装置１の電気的構成を概略的に示すブロック図である。図４に示すように、画像読取装置１は、画像読取装置１の各部を制御するＡＳＩＣ（特定用途向け集積回路）１０を含む。ＡＳＩＣ１０は、中央処理装置（以下、ＣＰＵ）１１、ＲＯＭ１２、ＲＡＭ１３を備え、これらにバス１４を介して操作部５、表示部６、スピーカ９、アナログフロントエンド（以下、ＡＦＥ）１５、点灯回路１６、搬送部２６に含まれる各ローラを駆動する駆動回路１７、ＣＩＳ３０、４０などが接続されている。
【００２８】
ＲＯＭ１２には、画像読取装置１の動作を制御するための各種のプログラムが記憶されており、ＣＰＵ１１は、ＲＯＭ１２から読み出したプログラムに従って、受光データ生成部５０、異常検出部５１、読取制御部５２、異物判断部５３等として機能し、各部の制御を行う。
【００２９】
点灯回路１６は、ＣＩＳ３０、４０に各々接続されており、ＣＰＵ１１からの命令に基づいて、光源３１、４１の点灯／消灯、及び照射時間Ｔを制御する信号をＣＩＳ３０、４０に送信する。ＣＩＳ３０、４０は、点灯回路１６から信号を受け取ると、光源３１、４１を点灯し、信号にて指定された照射時間Ｔに亘って光源３１、４１を照射する。その際、ＣＩＳ３０、４０は、ＣＰＵ１１からの命令に基づいて、搬送経路２２上を搬送される原稿Ｇや白基準板３３、４３から反射される反射光、又は搬送経路２２上を搬送される原稿Ｇを透過した透過光を受光部３２、４２を用いて受光し、受光部３２、４２が受光した受光量に応じたアナログ信号である読取データ（電圧値）をＡＦＥ１５に出力する。ＣＩＳ３０、４０は、受光部３２、４２の受光素子毎に反射光又は透過光を受光し、各受光素子が受光した受光量に応じた読取データを順次、ＡＦＥ１５に出力する。
【００３０】
ＡＦＥ１５は、ＣＩＳ３０、４０に各々接続されており、ＣＰＵ１１からの命令に基づいて、ＣＩＳ３０、４０から出力される読取データをデジタル信号である階調データ（階調値）に変換するＡ／Ｄ変換回路を有している。ＡＦＥ１５は、予め定められた入力レンジ及び分解能（例えば、８ビットであるならば０から２５５の階調）を有している。ＡＦＥ１５は、ＣＩＳ３０、４０から出力された読取データを８ビット（０〜２５５）の階調データにＡ／Ｄ変換を行う。そして、ＡＦＥ１５によってＡ／Ｄ変換された階調データは、バス１４を介してＲＡＭ１３に記憶される。
【００３１】
３．読取処理
次に、図５ないし図７を参照して、読取部２４を用いて原稿Ｇを読み取る場合の、ＣＰＵ１１における処理について説明する。
【００３２】
図５は、ＣＰＵ１１が所定のプログラムに従って実行する実施形態１のフローチャートを示す。ＣＰＵ１１は、ユーザによって画像読取装置１の給紙トレイ２に原稿Ｇが載置され、操作部５を介してＣＩＳ３０、４０による原稿Ｇの読取指示が入力されると、処理を開始する。ＣＰＵ１１は、処理を開始すると、まず、光量調整処理を実行する（Ｓ２）。
【００３３】
光量調整処理において、ＣＰＵ１１は、まずＣＩＳ４０の光源４１の光量を調整する。ＣＰＵ１１は、光源４１の照射時間Ｔを最大値に設定し、白基準データを取得する。この際、ＣＩＳ３０の光源３１は消灯しておく。ＣＰＵ１１は、取得された白基準データをＡＦＥ１５により階調値に変換し、変換された白基準階調データの最大階調値をＡＦＥ１５の最大階調値Ｋｍａｘ（８ビットの場合、２５５）と比較する。ＣＰＵ１１は、白基準階調データの最大階調値がＡＦＥ１５の最大階調値Ｋｍａｘと等しくなるように光源４１の照射時間Ｔを調整する。光源４１の光量調整終了後、同様に光源３１の光量を調整し、光量調整処理を終了する。
【００３４】
次に、ＣＰＵ１１は、シェーディング補正データ作成処理を実行する（Ｓ４）。図６に示すシェーディング補正データ作成処理において、ＣＰＵ１１は、まずＣＩＳ４０のシェーディング補正データを作成する。ＣＰＵ１１は、受光データ生成部５０として機能し、光量調整処理で調整された照射時間Ｔに亘って光源４１を照射し、白基準データを１ラインに亘って取得する（Ｓ２２）。この際、ＣＩＳ３０の光源３１は消灯しておく。
【００３５】
次に、ＣＰＵ１１は、異常検出部５１として機能し、取得された白基準データの異常の有無を検出する（Ｓ２４）。ＣＰＵ１１は、取得された白基準データをＡＦＥ１５により階調値に変換し、変換された白基準階調データの最大階調値と最小階調値の差分階調値ΔＫを検出する。ＲＯＭ１２には、予め基準差分階調値ΔＫＡが記憶されており、ＣＰＵ１１は、検出された差分階調値ΔＫを基準差分階調値ΔＫＡと比較する。
【００３６】
ＣＰＵ１１は、検出された差分階調値ΔＫが基準差分階調値ΔＫＡよりも大きい場合（Ｓ２４：ＹＥＳ）、取得された白基準データに異常が有ると判断し、表示部６及びスピーカ９を用いて当該異常をユーザに通知する（Ｓ３０）。ＣＰＵ１１は、図３に一点鎖線４６と干渉するように記載されたゴミＤ１、Ｄ２に示すように、白基準板３３の表面、又はプラテンガラス４４の受光部４２に対応する領域の表面にゴミが付着しており、現状のまま原稿Ｇを読み取った場合、図７下段の反射読取データに示すように、原稿Ｇの反射読取データにおいて縦筋６０等が読み取られる可能性が高いことをユーザに通知する。
【００３７】
また、ＣＰＵ１１は、白基準板３３の表面、又はプラテンガラス４４の受光部４２に対応する領域の表面のいずれにゴミＤ１、Ｄ２が付着しているかを特定するか否かを、表示部６及びスピーカ９を用いてユーザに促す（Ｓ３２）。ＣＰＵ１１は、当該通知に基づいてゴミＤ１、Ｄ２の位置を特定する指示が入力された場合（Ｓ３２：ＹＥＳ）、駆動回路１７を用いて搬送部２６を駆動し、給紙トレイ２の最もピックアップローラ２０側に載置された原稿Ｇを搬送する（Ｓ３４）。図７上段及び図８上段に示すように、原稿Ｇには、その両面に画像が印刷されている。
【００３８】
次に、ＣＰＵ１１は、読取制御部５２として機能し、原稿ＧがＣＩＳ４０に対向する位置に到達すると、光源４１の照射時間Ｔを最大値に設定し（Ｓ３６）、図７下段及び図８下段に示すように、ＣＩＳ４０を制御して原稿Ｇの反射読取データを取得すると同時に、ＣＩＳ３０を制御して原稿Ｇの透過読取データを取得する（Ｓ３８）。この際、ＣＩＳ３０の光源３１は消灯しておく。ＣＩＳ４０では、光源４１の照射時間Ｔが最大値に設定してあるため、ＣＩＳ３０では、原稿Ｇを透過した光を、受光部３２を用いて受光することができ、その受光量から透過読取データを取得することができる。
【００３９】
次に、ＣＰＵ１１は、異物判定部５３として機能し、取得された反射読取データ及び透過読取データをＡＦＥ１５により階調値に変換するとともに、変換された反射階調データと透過階調データとを比較する（Ｓ４０）。反射階調データと透過階調データは、同一の原稿Ｇを読み取った階調データであり、濃淡の違いはあるものの同一の画像を示す階調データが含まれている。ＲＯＭ１２には、予め基準階調値ＫＡが記憶されており、ＣＰＵ１１は、変換された反射階調データと透過階調データを基準階調値ＫＡと比較し、基準階調値ＫＡ以下の階調値を有する階調データを無色階調データと判別し、基準階調値ＫＡより大きい階調値を有する階調データを有色階調データと判別する。
【００４０】
ＲＯＭ１２には、予め基準階調データ数ＫＮが記憶されており、ＣＰＵ１１は、反射階調データと透過階調データの各々において、基準階調データ数ＫＮ以上に亘って連続している有色階調データを画像情報として検出する。
【００４１】
ＣＰＵ１１は、反射階調データと透過階調データを比較し、いずれか一方の階調データにのみ存在する画像情報があるか否かを確認する。反射階調データと透過階調データは、同一の原稿Ｇを読み取った階調データであり、反射階調データと透過階調データには当該原稿Ｇの同一部分を読み取った対応する階調データ（以下、階調データ対）が含まれる。ＣＰＵ１１は、いずれか一方のみに画像情報が含まれる階調データ対が存在するか否かを確認し、いずれか一方のみに画像情報が含まれる階調データ対が存在する場合、いずれか一方の階調データにのみ存在する画像情報が有ると判断する。また、いずれか一方のみに画像情報が含まれる階調データ対が存在しない場合、いずれか一方の階調データにのみ存在する画像情報が無いと判断する。
【００４２】
図７下段に示すように、ＣＰＵ１１は、反射階調データにのみ存在する縦筋６０等の画像情報が有ると判断した場合（Ｓ４０：ＹＥＳ）、プラテンガラス４４の受光部４２に対応する領域の表面にゴミＤ２が付着していると判断する（Ｓ４２）。ＣＰＵ１１は、表示部６及びスピーカ９を用いて当該判断結果をユーザに通知し（Ｓ４４）、処理を終了する。
【００４３】
また、図８下段に示すように、ＣＰＵ１１は、反射階調データと透過階調データが等しく、いずれか一方の階調データにのみ存在する画像情報が無いと判断した場合（Ｓ４０：ＮＯ）、白基準板３３の表面にゴミＤ１が付着していると判断する（Ｓ４６）。ＣＰＵ１１は、表示部６及びスピーカ９を用いて当該判断結果をユーザに通知し（Ｓ４８）、処理を終了する。
【００４４】
一方、ＣＰＵ１１は、検出された差分階調値ΔＫが基準差分階調値ΔＫＡ以下である場合（Ｓ２４：ＮＯ）、又はＳ３０の通知に基づいて、操作部５を介してゴミＤ１、Ｄ２の位置を特定しない指示が入力された場合、あるいは規定時間内に操作部５を介して指示が入力されない場合（Ｓ３２：ＮＯ）、黒基準データを１ラインに亘って取得する（Ｓ２６）。
【００４５】
ＣＰＵ１１は、取得された黒基準データをＡＦＥ１５により階調値に変換し、変換された黒基準階調データと白基準階調データを用いてシェーディング補正データ（以下、補正データ）Ｈを作成し（Ｓ２８）、ＣＩＳ４０のシェーディング補正データ作成処理を終了する。補正データＨによって、各受光素子の黒基準階調データは、ＡＦＥ１５の最小階調値Ｋｍｉｎに補正され、各受光素子の白基準階調データは、ＡＦＥ１５の最大階調値Ｋｍａｘに補正される。なお、補正データＨの作成方法は、従来技術における当該補正データの作成方法と同一であり、説明を省略する。
【００４６】
ＣＰＵ１１は、ＣＩＳ４０のシェーディング補正データ作成処理終了後、同様にＣＩＳ３０のシェーディング補正データ作成処理を実行する。ＣＰＵ１１は、ＣＩＳ３０、４０のいずれの読取部においても補正データＨが作成された場合に、シェーディング補正データ作成処理を終了する。
【００４７】
補正データＨ作成後、ＣＰＵ１１は、駆動回路１７を用いて搬送部２６を駆動し、原稿Ｇの搬送を開始する（Ｓ６）。ＣＰＵ１１は、原稿Ｇの搬送開始後、原稿Ｇの搬送方向の先端がＣＩＳ４０の受光部４２に対向する位置に到達した場合に、原稿Ｇを読み取る（Ｓ８）。この際、ＣＰＵ１１は、１ラインの間、光量調整処理で調整された照射時間Ｔの時間の間、原稿に光を照射して、ＣＩＳ３０、４０を用いて原稿Ｇの両面の反射読取データを同時に読み取るようにＣＩＳ３０、４０を制御する。また、ＣＰＵ１１は、これらの反射読取データをＡＦＥ１５で変換した反射階調データに補正データＨを用いて補正処理を行い、補正後の反射階調データをＲＡＭ１３に記憶し、処理を終了する。
【００４８】
４．本実施形態の効果
（１）画像読取装置１では、例えば図３に示すように、光源４１から白基準板３３に光を照射した場合に受光部４２が受光した受光量からＣＩＳ４０が取得する白基準データに異常が検出された場合、白基準板３３の表面、又はプラテンガラス４４の受光部４２に対応する領域の表面のいずれにゴミＤ１、Ｄ２が付着していることが解るものの、いずれにゴミＤ１、Ｄ２が存在するかを特定することができない。
【００４９】
本実施形態の画像読取装置では、ＣＩＳ３０とＣＩＳ４０が搬送経路２２を介して対向して配置されていることを利用して、いずれにゴミＤ１、Ｄ２が付着しているかを特定する。具体的には、光源４１を照射させた場合にＣＩＳ３０及びＣＩＳ４０で原稿Ｇを読み取る。プラテンガラス４４の領域Ｒの表面、原稿Ｇ、及びプラテンガラス３４の受光部３２に対応する領域の表面にはゴミが存在しないため、ＣＩＳ３０が取得する透過読取データにはゴミによる画像情報が発生しない。その一方、プラテンガラス４４の受光部４２に対応する領域の表面にゴミＤ２が存在する場合には、ＣＩＳ４０が読み取った反射読取データにゴミＤ１による画像情報が発生し、白基準板３３の表面にゴミＤ１が存在する場合には、ＣＩＳ４０が読み取った反射読取データにゴミＤ２による画像情報が発生しない。また、ＣＩＳ４０が読み取った反射読取データにゴミＤ１による画像情報が発生したか否かは、ＣＩＳ３０が取得する透過読取データとＣＩＳ４０が読み取った反射読取データを比較することで判断することができる。本実施形態の画像読取装置１によれば、白基準板３３の表面、又はプラテンガラス４４の受光部４２に対応する領域の表面のいずれにゴミＤ１、Ｄ２が付着しているのかを特定することができる。
【００５０】
（２）画像読取装置１では、白基準データに異常が検出された場合、ユーザに当該異常を通知し、この通知に基づいてユーザからゴミＤ１、Ｄ２の位置を特定する指示が入力された場合にのみゴミＤ１、Ｄ２の位置を特定する。そのため、ユーザが読取データに求める精度が高く、ゴミＤ２による画像情報を確実に除きたい場合には、ゴミの位置を特定することで、ゴミＤ１、Ｄ２を除去しやすい。一方、ユーザが読取データに求める精度が低く、ゴミＤ２による画像情報が含まれていても良い場合には、ゴミＤ１、Ｄ２を除去することなく、読取データを取得することができる。
【００５１】
（３）画像読取装置１では、例えばＣＩＳ４０が取得する白基準データに異常が検出され、白基準板３３の表面、又はプラテンガラス４４の受光部４２に対応する領域の表面のいずれにゴミＤ１、Ｄ２が付着しているのかが判断された場合、表示部６及びスピーカ９を用いて当該判断結果をユーザに通知するので、ユーザは当該通知に基づいてゴミＤ１、Ｄ２を除去しやすい。
【００５２】
（４）画像読取装置１では、白基準データに異常が検出された場合、載置部にもともと載置されている原稿を用いて搬送を行い、白基準板３３の表面、又はプラテンガラス４４の受光部４２に対応する領域の表面のいずれにゴミＤ１、Ｄ２が付着していることを特定する。載置部にもともと載置されている原稿を用いてゴミＤ１、Ｄ２が付着している位置を特定するので、ユーザはゴミＤ１、Ｄ２の位置を特定する処理に先だって何かを準備する必要がなく、簡易にゴミＤ１、Ｄ２の位置を特定することができる。
【００５３】
＜実施形態２＞
実施形態２を、図９を用いて説明する。本実施形態では、シェーディング補正データ作成処理において、取得された白基準データに異常が有ると判断され、ユーザからゴミＤ１、Ｄ２の位置を特定する指示が入力された場合、白紙の原稿ＧＷを用いて搬送を行い、ゴミＤ１、Ｄ２の位置を特定する点で、実施形態１と異なる。以下の説明では、実施形態１と同一の内容については重複した記載を省略する。
【００５４】
１．読取処理
図９は、ＣＰＵ１１が所定のプログラムに従って実行する実施形態２のフローチャートを示す。ＣＰＵ１１は、取得された白基準データに異常が有ると判断（Ｓ２４）した後に、ユーザからゴミＤ１、Ｄ２の位置を特定する指示が入力された場合（Ｓ３２：ＹＥＳ）、画像読取装置１が読み取ることが可能な最大読取サイズの白紙の原稿ＧＷを給紙トレイ２に載置することを、表示部６及びスピーカ９を用いてユーザに通知して促す（Ｓ６０）。ＣＰＵ１１は、ユーザによって給紙トレイ２の原稿Ｇが一端取り除かれ、ガイド７Ａ、７Ｂを用いて最大読取サイズの原稿Ｇが載置されたことを検出した場合に、Ｓ３６からの処理を実行する。
【００５５】
２．本実施形態の効果
（１）本実施形態の画像読取装置１では、白基準データに異常が検出された場合、載置部にもともと載置されている原稿に換えて白紙の原稿ＧＷを用いて搬送を行い、白基準板３３の表面、又はプラテンガラス４４の受光部４２に対応する領域の表面のいずれにゴミＤ１、Ｄ２が付着していることを特定する。白紙の原稿ＧＷを用いてゴミＤ１、Ｄ２の付着している位置を特定するので、載置部にもともと載置されている原稿のように、その両面に画像等が記載されている原稿を用いる場合に比べて、透過読取データを取得しやすく、透過読取データと反射読取データを用いて精度良くゴミＤ１、Ｄ２の位置を特定することができる。
【００５６】
（２）本実施形態の画像読取装置１では、白紙の原稿ＧＷとして画像読取装置１が読み取ることが可能な最大読取サイズの白紙の原稿ＧＷを給紙トレイ２に載置することをユーザに促す。最大読取サイズの白紙の原稿ＧＷを用いてゴミＤ１、Ｄ２の付着している位置を特定するので、ＣＩＳ３０、４０の１ラインの全域においてゴミＤ１、Ｄ２の位置を特定することができる。
【００５７】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られない。例えば、プリンタ機能、スキャナ機能、コピー機能、ファクシミリ機能等の少なくとも１つの機能を有する複合機であっても良い。
【００５８】
（２）上記実施形態では、画像読取装置１が１つのＡＳＩＣ１０を有し、受光データ生成部５０、異常検出部５１、読取制御部５２、異物判断部５３等の機能をＡＳＩＣ１０が有する１つのＣＰＵ１１によって実行する例を用いて示したが、本発明はこれに限られない。例えば、お互いに異なるＣＰＵ、ＡＳＩＣなどによって各部が構成されても良い。
【００５９】
（３）上記実施形態では、白基準板３３、４３が搬送経路２２の表面に露出している場合の例を用いて説明を行ったが、白基準板３３、４３はプラテンガラス３４、４４よりも光源３１、４１側に配置されていても良い。この場合、白基準板３３、４３にゴミＤ１が付着するとは、プラテンガラス３４、４４の白基準板３３、４３に対応する位置にゴミが付着することを意味する。
【００６０】
（４）上記実施形態では、ＣＩＳ３０、４０の搬送経路２２側に載置される透過部材を、プラテンガラス３４、４４を用いて説明したが、その材質は特に限定されず、透過率の比較的高いプラスチック等でも良い。
【００６１】
（５）上記実施形態では、原稿Ｇの透過読取データ及び反射読取データを取得する際に、反射読取データを取得するＣＩＳ４０（３０）に含まれる光源４１（３１）のみから光を照射し、透過読取データを取得するＣＩＳ４０（３０）に含まれる光源４１（３１）を消灯する例を用いて説明を行ったが、本発明はこれに限られない。原稿Ｇの透過読取データ及び反射読取データを取得する際に、光源３１、４１の両方から光を照射しても良い。
【００６２】
（６）また、上記実施形態では、原稿Ｇの透過読取データ及び反射読取データを取得する際に、反射読取データを取得するＣＩＳ４０（３０）に含まれる光源４１（３１）の照射時間Ｔを最大値とする例を用いて説明を行ったが、この場合の照射時間Ｔが別途設定されていても良い。この別途設定される照射時間Ｔは、照射された光が原稿を透過し、ＣＩＳ３０（４０）によって透過読取データが取得できる時間に設定されている。
【００６３】
（７）上記実施形態では、ＲＯＭ１２に記憶されている基準階調データ数ＫＮを用いて画像情報を検出する例を用いて説明を行ったが、本発明はこれに限らない。例えばＣＩＳ４０が取得する白基準データに異常が検出された場合であり、プラテンガラス４４の受光部４２に対応する領域の表面にゴミＤ２が付着している場合、通常、図７下段に示すように、反射読取データの搬送方向に沿って縦筋が発生する。ＣＰＵ１１は、透過階調データと反射階調データを比較し、反射階調データにのみ存在する縦筋を検出した場合に、プラテンガラス４４の受光部４２に対応する領域の表面にゴミＤ２が付着していると判断しても良い。
【符号の説明】
【００６４】
１：画像読取装置、２：給紙トレイ、３：本体部、５：操作部、６：表示部、９：スピーカ、１０：ＡＳＩＣ、１１：ＣＰＵ、１５：ＡＦＥ、１６：点灯回路、２２：搬送経路、２４：読取部、２６：搬送部、３０、４０：ＣＩＳ、３１、４１：光源、３２、４２：受光部、３３、４３：白基準板、３４、４４：プラテンガラス、５０：受光データ生成部、５１：異常検出部、５２：読取制御部、５３：異物判断部、Ｄ１、Ｄ２：ゴミ、Ｇ：原稿、ＧＷ：白紙の原稿、Ｈ：補正データ、ＫＡ：基準階調値、ＫＮ：基準階調データ数、Ｔ：照射時間、ΔＫＡ：基準差分階調値
【図１】
2012204972.tif 000003
【図２】
2012204972.tif 000004
【図３】
2012204972.tif 000005
【図４】
2012204972.tif 000006
【図５】
2012204972.tif 000007
【図６】
2012204972.tif 000008
【図７】
2012204972.tif 000009
【図８】
2012204972.tif 000010
【図９】
2012204972.tif 000011